【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
通信キャリア電話網の電波を用いて通信を行うドングル装置と着脱可能に接続する第１のＶＰＮルータであって移動車両内に設けられている第１のＶＰＮルータと、施設内の第２のＶＰＮルータとにより構築されたＶＰＮを用いて、前記第２のＶＰＮルータに接続された前記施設内の第１の情報処理装置に、前記移動車両内のモダリティにより撮影された医用画像の転送を行う医用画像転送システムであって、
前記ドングル装置が接続された前記第１のＶＰＮルータは、
前記ドングル装置を介して構築された前記ＶＰＮを用いてデータ通信する通信手段と、
前記ドングル装置の電波の状況を示す電波情報を前記ドングル装置から取得する取得手段とを備え、
前記第２の情報処理装置は、
前記移動車両内のモダリティにより撮影された医用画像を、前記ＶＰＮを用いて、前記第１の情報処理装置に転送する転送手段と、
前記ドングル装置が取得した前記電波情報を前記第１のＶＰＮルータから受信する受信手段と、
前記受信手段により受信した前記電波情報に基づいて、前記移動車両内のモダリティにより撮影された医用画像を、前記転送手段により前記第１の情報処理装置に転送するか否かを制御する制御手段と、
を備えることを特徴とする医用画像転送システム。
【請求項２】
前記電波情報は、電波の強弱に係る情報であることを特徴とする請求項１に記載の医用画像転送システム。
【請求項３】
前記第２の情報処理装置は、
前記第１のＶＰＮルータが通信するデータの通信速度を計測する計測手段を更に備え、
前記制御手段は、前記計測手段により計測された通信速度に応じて、前記移動車両内のモダリティにより撮影された医用画像を、前記転送手段により前記第１の情報処理装置に転送するか否かを制御することを特徴とする請求項１又は２に記載の医用画像転送システム。
【請求項４】
前記第２の情報処理装置は、
前記計測手段により計測された通信速度に従って、前記モダリティにより撮影された医用画像の前記第１の情報処理装置への転送速度が良好か否かを識別可能な通信速度情報を表示する表示手段を更に備えることを特徴とする請求項３に記載の医用画像転送システム。
【請求項５】
前記第２の情報処理装置は、
前記転送手段による前記医用画像の転送を行う転送条件を満たさない場合には、転送条件を満たすようになるまで、前記移動車両内のモダリティにより撮影された医用画像を保存する保存手段を更に備え、
前記制御手段は、前記転送条件を満たす場合に、前記保存手段により保存された医用画像を前記転送手段により転送することを特徴とする請求項１乃至４の何れか１項に記載の医用画像転送システム。
【請求項６】
前記第２の情報処理装置は、
前記移動車両内のモダリティにより撮影された医用画像を圧縮する圧縮手段を更に備え、
前記転送手段は、前記圧縮手段により圧縮された医用画像を前記第２の情報処理装置に転送し、
前記第１の情報処理装置は、
前記モダリティにより撮影された医用画像の解凍を行う解凍手段を更に備えることを特徴とする請求項１乃至５の何れか１項に記載の医用画像転送システム。
【請求項７】
通信キャリア電話網の電波を用いて通信を行うドングル装置と着脱可能に接続する第１のＶＰＮルータであって移動車両内に第１の情報処理装置と通信可能に設けられている第１のＶＰＮルータと、施設内の第２のＶＰＮルータとにより構築されたＶＰＮを用いて、前記第２のＶＰＮルータに接続された前記施設内の第２の情報処理装置に、前記移動車両内のモダリティにより撮影された医用画像の転送を行う第１の情報処理装置であって、
前記移動車両内のモダリティにより撮影された医用画像を、前記ＶＰＮを用いて、前記第２の情報処理装置に転送する転送手段と、
前記ドングル装置が取得した、前記ドングル装置の電波の状況を示す電波情報を、前記ドングル装置が接続された前記第１のＶＰＮルータから受信する受信手段と、
前記受信手段により受信した前記電波情報に基づいて、前記移動車両内のモダリティにより撮影された医用画像を、前記転送手段により前記第２の情報処理装置に転送するか否かを制御する制御手段と、
を備えることを特徴とする第１の情報処理装置。
【請求項８】
通信キャリア電話網の電波を用いて通信を行うドングル装置と着脱可能に接続する第１のＶＰＮルータであって移動車両内に第１の情報処理装置と通信可能に設けられている第１のＶＰＮルータと、施設内の第２のＶＰＮルータとにより構築されたＶＰＮを用いて、前記第２のＶＰＮルータに接続された前記施設内の第２の情報処理装置に、前記移動車両内のモダリティにより撮影された医用画像の転送を行う第１の情報処理装置にける制御方法であって、
前記移動車両内のモダリティにより撮影された医用画像を、前記ＶＰＮを用いて、前記第２の情報処理装置に転送する転送工程と、
前記ドングル装置が取得した、前記ドングル装置の電波の状況を示す電波情報を、前記ドングル装置が接続された前記第１のＶＰＮルータから受信する受信工程と、
前記受信工程により受信した前記電波情報に基づいて、前記移動車両内のモダリティにより撮影された医用画像を、前記転送工程で前記第２の情報処理装置に転送するか否かを制御する制御工程と、
を備えることを特徴とする第１の情報処理装置の制御方法。
【請求項９】
請求項７に記載の第１の情報処理装置として機能させることを特徴とするプログラム。
【請求項１０】
請求項１乃至６の何れか１項に記載の医用画像転送システムとして機能させることを特徴とするプログラム。
【手続補正２】
【補正対象書類名】明細書
【補正対象項目名】発明の名称
【補正方法】変更
【補正の内容】
【発明の名称】医用画像転送システム、第１の情報処理装置、及びその制御方法とプログラム
【手続補正３】
【補正対象書類名】明細書
【補正対象項目名】０００１
【補正方法】変更
【補正の内容】
【０００１】
本発明は、医用画像転送システム、第１の情報処理装置、及びその制御方法とプログラムの技術に関する。
【手続補正４】
【補正対象書類名】明細書
【補正対象項目名】０００６
【補正方法】変更
【補正の内容】
【０００６】
本発明は、移動車両内で撮影した医用画像をセキュアな通信環境で施設内に転送する仕組みを提供することを目的とする。
【手続補正５】
【補正対象書類名】明細書
【補正対象項目名】０００７
【補正方法】変更
【補正の内容】
【０００７】
本発明は、通信キャリア電話網の電波を用いて通信を行うドングル装置と着脱可能に接続する第１のＶＰＮルータであって移動車両内に設けられている第１のＶＰＮルータと、施設内の第２のＶＰＮルータとにより構築されたＶＰＮを用いて、前記第２のＶＰＮルータに接続された前記施設内の第１の情報処理装置に、前記移動車両内のモダリティにより撮影された医用画像の転送を行う医用画像転送システムであって、前記ドングル装置が接続された前記第１のＶＰＮルータは、前記ドングル装置を介して構築された前記ＶＰＮを用いてデータ通信する通信手段と、前記ドングル装置の電波の状況を示す電波情報を前記ドングル装置から取得する取得手段とを備え、前記第２の情報処理装置は、前記移動車両内のモダリティにより撮影された医用画像を、前記ＶＰＮを用いて、前記第１の情報処理装置に転送する転送手段と、前記ドングル装置が取得した前記電波情報を前記第１のＶＰＮルータから受信する受信手段と、前記受信手段により受信した前記電波情報に基づいて、前記移動車両内のモダリティにより撮影された医用画像を、前記転送手段により前記第１の情報処理装置に転送するか否かを制御する制御手段と、を備えることを特徴とする。
【手続補正６】
【補正対象書類名】明細書
【補正対象項目名】０００８
【補正方法】変更
【補正の内容】
【０００８】
本発明は、通信キャリア電話網の電波を用いて通信を行うドングル装置と着脱可能に接続する第１のＶＰＮルータであって移動車両内に第１の情報処理装置と通信可能に設けられている第１のＶＰＮルータと、施設内の第２のＶＰＮルータとにより構築されたＶＰＮを用いて、前記第２のＶＰＮルータに接続された前記施設内の第２の情報処理装置に、前記移動車両内のモダリティにより撮影された医用画像の転送を行う第１の情報処理装置であって、前記移動車両内のモダリティにより撮影された医用画像を、前記ＶＰＮを用いて、前記第２の情報処理装置に転送する転送手段と、前記ドングル装置が取得した、前記ドングル装置の電波の状況を示す電波情報を、前記ドングル装置が接続された前記第１のＶＰＮルータから受信する受信手段と、前記受信手段により受信した前記電波情報に基づいて、前記移動車両内のモダリティにより撮影された医用画像を、前記転送手段により前記第２の情報処理装置に転送するか否かを制御する制御手段と、を備えることを特徴とする。
また、本発明は、通信キャリア電話網の電波を用いて通信を行うドングル装置と着脱可能に接続する第１のＶＰＮルータであって移動車両内に第１の情報処理装置と通信可能に設けられている第１のＶＰＮルータと、施設内の第２のＶＰＮルータとにより構築されたＶＰＮを用いて、前記第２のＶＰＮルータに接続された前記施設内の第２の情報処理装置に、前記移動車両内のモダリティにより撮影された医用画像の転送を行う第１の情報処理装置にける制御方法であって、前記移動車両内のモダリティにより撮影された医用画像を、前記ＶＰＮを用いて、前記第２の情報処理装置に転送する転送工程と、前記ドングル装置が取得した、前記ドングル装置の電波の状況を示す電波情報を、前記ドングル装置が接続された前記第１のＶＰＮルータから受信する受信工程と、前記受信工程により受信した前記電波情報に基づいて、前記移動車両内のモダリティにより撮影された医用画像を、前記転送工程で前記第２の情報処理装置に転送するか否かを制御する制御工程と、を備えることを特徴とする。
また、本発明は、上述の第１の情報処理装置として機能させるためのプログラムである。
【手続補正７】
【補正対象書類名】明細書
【補正対象項目名】０００９
【補正方法】変更
【補正の内容】
【０００９】
本発明により、移動車両内で撮影した医用画像をセキュアな通信環境で施設内に転送する仕組みを提供することが可能となる。